【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
画像の入力または出力に関するジョブを実行し、実行したジョブで用いられた画像を示す画像ログを生成する画像記録手段、前記画像記録手段から転送された画像ログに対して画像処理を行う画像処理サーバ、前記画像処理サーバによって画像処理された画像ログを蓄積するデータベース及び転送管理サーバを含む画像ログ記録システムにおいて、
前記画像記録手段は、画像ログを前記画像処理サーバへ転送するためのスケジュールを示す情報を含む転送設定を前記転送管理サーバから受信する転送設定受信手段と、前記転送設定に従って画像ログを前記画像処理サーバに転送する画像ログ転送手段とを備え、
前記転送管理サーバは、前記画像記録手段に転送設定を通知する転送設定通知手段と、前記画像ログ記録システムの負荷を監視する負荷監視手段と、前記負荷監視手段が監視するシステムの負荷に基づいて、前記転送設定を変更する転送設定変更手段とを備えることを特徴とする画像ログ記録システム。
【請求項２】
前記負荷監視手段は、前記画像処理サーバの受信能力、保存能力、画像処理能力、データベース登録能力、受信量、保存量、画像処理量、データベース登録量のうち１つ以上について監視することを特徴とする請求項１記載の画像ログ記録システム。
【請求項３】
前記画像記録手段は、単位時間当たりの記録量を記録する単位時間記録量記録手段と、記録した前記単位時間記録量を前記転送管理サーバへ通知する単位時間記録量通知手段と、記録可能容量を前記転送管理サーバへ通知する記録可能量通知手段とを備え、
前記転送管理サーバは、前記画像記録手段から通知された単位時間記録量及び記録容量を受信し記録する画像記録手段記録量記録手段を備え、前記転送設定変更手段は、各画像記録手段の単位時間記録量と記録容量とに基づいて前記画像記録手段からの転送設定を決定することを特徴とする請求項１記載の画像ログ記録システム。
【請求項４】
前記転送設定変更手段は、更に、予め設定または測定された前記画像記録手段の優先度、転送能力、記録形式のうち１つ以上に基づき転送設定を決定することを特徴とする請求項３記載の画像ログ記録システム。
【請求項５】
前記転送管理サーバは、前記転送設定通知手段の代わりに、前記画像処理サーバへ転送設定を通知する転送許可設定通知手段を備え、
前記画像処理サーバは、転送許可設定受信手段と、受信した転送許可設定に従って前記画像記録手段からの画像ログ転送の可否を判定し、可の場合のみ受信を許可する画像ログ受信許可手段とを備えることを特徴とする請求項１乃至４のいずれか１項に記載の画像ログ記録システム。
【請求項６】
前記転送管理サーバは、前記負荷監視手段によって前記画像ログ記録システムの負荷を示す値が所定の値よりも高いことが検知された場合、管理者に通知する高負荷通知手段を備えることを特徴とする請求項１または２記載の画像ログ記録システム。
【請求項７】
前記画像記録手段は、デジタル複合機、プリンタ、プリントサーバ、印刷ジョブを生成するコンピュータのいずれかであることを特徴とする請求項１乃至５のいずれか１項に記載の画像ログ記録システム。
【請求項８】
前記画像処理サーバ、前記データベース、前記転送管理サーバのうち２つ以上が、同一のサーバであることを特徴とする請求項１乃至５のいずれか１項に記載の画像ログ記録システム。
【請求項９】
前記記録可能量通知手段は、予め設定された容量に対する記録可能容量を通知することを特徴とする請求項３または４記載の画像ログ記録システム。
【請求項１０】
一定期間の記録量の変動を記録する記録量推移記録手段を有し、前記単位時間記録量通知手段は、記録量推移を元に単位時間記録量通知を行うことを特徴とする請求項３または４記載の画像ログ記録システム。
【請求項１１】
記録量推移予測をユーザから入力を受け付ける記録量推移入力手段を有することを特徴とする請求項１０記載の画像ログ記録システム。
【請求項１２】
画像の入力または出力に関するジョブを実行し、実行したジョブで用いられた画像を示す画像ログを生成する画像記録手段、前記画像記録手段から転送された画像ログに対して画像処理を行う画像処理サーバ、前記画像処理サーバによって画像処理された画像ログを蓄積するデータベース及び転送管理サーバを含む画像ログ記録システムの制御方法において、
前記画像記録手段は、画像ログを前記画像処理サーバへ転送するためのスケジュールを示す情報を含む転送設定を前記転送管理サーバから受信する転送設定受信ステップと、前記転送設定に従って画像ログを前記画像処理サーバに転送する画像ログ転送ステップとを備え、
前記転送管理サーバは、前記画像記録手段に転送設定を通知する転送設定通知ステップと、前記画像ログ記録システムの負荷を監視する負荷監視ステップと、前記負荷監視ステップにおいて監視するシステムの負荷に基づいて、前記転送設定を変更する転送設定変更ステップとを備えることを特徴とする画像ログ記録システムの制御方法。
【請求項１３】
画像の入力または出力に関するジョブを実行し、実行したジョブで用いられた画像を示す画像ログを生成する画像記録手段、前記画像記録手段から転送された画像ログに対して画像処理を行う画像処理サーバ、前記画像処理サーバによって画像処理された画像ログを蓄積するデータベース及び転送管理サーバを含む画像ログ記録システムの制御プログラムにおいて、
前記画像記録手段は、画像ログを前記画像処理サーバへ転送するためのスケジュールを示す情報を含む転送設定を前記転送管理サーバから受信する転送設定受信モジュールと、前記転送設定に従って画像ログを前記画像処理サーバに転送する画像ログ転送モジュールとをコンピュータに実行させ、
前記転送管理サーバは、前記画像記録手段に転送設定を通知する転送設定通知モジュールと、前記画像ログ記録システムの負荷を監視する負荷監視モジュールと、前記負荷監視モジュールが監視するシステムの負荷に基づいて、前記転送設定を変更する転送設定変更モジュールとをコンピュータに実行させることを特徴とする画像ログ記録システムの制御プログラム。
【請求項１４】
請求項１３記載の制御プログラムを格納するコンピュータ読み取り可能な記憶媒体。
【手続補正２】
【補正対象書類名】明細書
【補正対象項目名】０００１
【補正方法】変更
【補正の内容】
【０００１】
本発明は、デジタル複合機やプリンタで実行したジョブについて、実行ユーザ、実行日時などから成るジョブ属性を、画像と結びつけて記録する画像ログ記録システム及びその制御方法、プログラム及び記憶媒体に関し、特に、画像ログの収集技術に特徴のある画像ログ記録システム及びその制御方法、プログラム及び記憶媒体に関する。
【手続補正３】
【補正対象書類名】明細書
【補正対象項目名】００１２
【補正方法】変更
【補正の内容】
【００１２】
本発明の目的は、画像ログの転送を最適化することができる画像ログ記録システム及びその制御方法、プログラム及び記憶媒体を提供することにある。
【手続補正４】
【補正対象書類名】明細書
【補正対象項目名】００１３
【補正方法】変更
【補正の内容】
【００１３】
上記目的を達成するために、請求項１記載の画像ログ記録システムは、画像の入力または出力に関するジョブを実行し、実行したジョブで用いられた画像を示す画像ログを生成する画像記録手段、前記画像記録手段から転送された画像ログに対して画像処理を行う画像処理サーバ、前記画像処理サーバによって画像処理された画像ログを蓄積するデータベース及び転送管理サーバを含む画像ログ記録システムにおいて、前記画像記録手段は、画像ログを前記画像処理サーバへ転送するためのスケジュールを示す情報を含む転送設定を前記転送管理サーバから受信する転送設定受信手段と、前記転送設定に従って画像ログを前記画像処理サーバに転送する画像ログ転送手段とを備え、前記転送管理サーバは、前記画像記録手段に転送設定を通知する転送設定通知手段と、前記画像ログ記録システムの負荷を監視する負荷監視手段と、前記負荷監視手段が監視するシステムの負荷に基づいて、前記転送設定を変更する転送設定変更手段とを備えることを特徴とする。
【手続補正５】
【補正対象書類名】明細書
【補正対象項目名】００１４
【補正方法】変更
【補正の内容】
【００１４】
請求項１２記載の画像ログ記録システムの制御方法は、画像の入力または出力に関するジョブを実行し、実行したジョブで用いられた画像を示す画像ログを生成する画像記録手段、前記画像記録手段から転送された画像ログに対して画像処理を行う画像処理サーバ、前記画像処理サーバによって画像処理された画像ログを蓄積するデータベース及び転送管理サーバを含む画像ログ記録システムの制御方法において、前記画像記録手段は、画像ログを前記画像処理サーバへ転送するためのスケジュールを示す情報を含む転送設定を前記転送管理サーバから受信する転送設定受信ステップと、前記転送設定に従って画像ログを前記画像処理サーバに転送する画像ログ転送ステップとを備え、前記転送管理サーバは、前記画像記録手段に転送設定を通知する転送設定通知ステップと、前記画像ログ記録システムの負荷を監視する負荷監視ステップと、前記負荷監視ステップにおいて監視するシステムの負荷に基づいて、前記転送設定を変更する転送設定変更ステップとを備えることを特徴とする。
【手続補正６】
【補正対象書類名】明細書
【補正対象項目名】００１５
【補正方法】変更
【補正の内容】
【００１５】
請求項１３記載の画像ログ記録システムの制御プログラムは、画像の入力または出力に関するジョブを実行し、実行したジョブで用いられた画像を示す画像ログを生成する画像記録手段、前記画像記録手段から転送された画像ログに対して画像処理を行う画像処理サーバ、前記画像処理サーバによって画像処理された画像ログを蓄積するデータベース及び転送管理サーバを含む画像ログ記録システムの制御プログラムにおいて、前記画像記録手段は、画像ログを前記画像処理サーバへ転送するためのスケジュールを示す情報を含む転送設定を前記転送管理サーバから受信する転送設定受信モジュールと、前記転送設定に従って画像ログを前記画像処理サーバに転送する画像ログ転送モジュールとをコンピュータに実行させ、前記転送管理サーバは、前記画像記録手段に転送設定を通知する転送設定通知モジュールと、前記画像ログ記録システムの負荷を監視する負荷監視モジュールと、前記負荷監視モジュールが監視するシステムの負荷に基づいて、前記転送設定を変更する転送設定変更モジュールとをコンピュータに実行させることを特徴とする。